(57)【要約】【課題】特別な設置スペースを必要とすることなく、工具をとっさに取り出すことができるように設置することのできる照明器具を提供する。【解決手段】光源２と、前記光源２を収容する器具本体１とを有する照明器具であって、前記器具本体１内に、工具４を収容する工具収容部を具備しているため、大型化した器具本体の余剰スペースに、ドライバなどの工具を収納することができるため、特別な設置スペースを必要とすることなく、工具をとっさに取り出すことができるように常備することができる。また、照明器具の位置は、わかり易く、目印となるため、誰にでも取り出し易い。【選択図】図４
2010097838.tif 000002
【特許請求の範囲】
【請求項１】
光源と、
前記光源を収容する器具本体とを有する照明器具であって、
前記器具本体内に、工具を収容する工具収容部を具備した照明器具。
【請求項２】
請求項１に記載の照明器具であって、
前記工具収容部は、前記光源よりも背面側に設けられた照明器具。
【発明の詳細な説明】
【技術分野】
【０００１】
本発明は、照明器具に係り、特に浴室、トイレ、エレベータなどの、地震などの災害時に閉じ込められ易い場所に設置される脱出用の工具付き照明器具に関する。
【背景技術】
【０００２】
地震などの災害時には、浴室、トイレ、エレベータなど、密室状態となるものにおいては、密室状態から脱出できるかどうかが、避難できるかどうかを左右することが多い。浴室やトイレのドアなど、振動による歪で開かなくなってしまったドアを開けるためには、工具が必要である。しかしながら、浴室やトイレには、ものを置いておく場所が少なく、またとっさに取り出せるように場所を決めるのも難しい。
【０００３】
近年、浴室内の照明など、プライベート空間において、照明器具が露出した直接照明を用いると、光が強すぎてリラックスしにくい雰囲気となるため、光源を不透明又は半透明パネルで覆ったり、一旦反射パネルで反射させた後、光を、投光部を経て浴室内に導入するなどして浴室を照明する間接照明が一般的となっている。
このような浴室内の間接照明に関しては、従来から種々の提案がなされているが、例えば、特許文献１、２に示すように、浴室を間接照明するための浴室の天井構造、照明装置等が提案されている。
【０００４】
このような間接照明においては、光源が不透明又は半透明パネルで覆われたり、反射パネルで隔てられた構成とされるなど、光源そのものから所定の距離を隔ててカバー部材が設けられることになっている。このため、照明器具内には比較的自由な空間がある。
【０００５】
【特許文献１】特開平８−１８０７１５号公報
【特許文献２】特開２００２−１８０７１５号公報
【発明の開示】
【発明が解決しようとする課題】
【０００６】
このように、地震などの災害時に備えて、浴室、トイレ、エレベータなど、密室状態となるものにおいては、密室状態から脱出するための、工具が必要である。しかしながら、浴室やトイレでは、人は無防備であるため、工具を落としたりすると危険であり、また周辺設備を傷つけ易いという問題もある。
また、浴室やトイレには、ものを置いておく場所が少なく、またとっさに取り出せるように場所を決めるのも難しい。
本発明は、前記実情に鑑みてなされたもので、特別な設置スペースを必要とすることなく、工具をとっさに取り出すことができるように設置することのできる照明器具を提供することを目的とする。
【課題を解決するための手段】
【０００７】
そこで本発明は、光源と、前記光源を収容する器具本体とを有する照明器具であって、前記器具本体内に、工具を収容する工具収容部を具備したことを特徴とする。
この構成によれば、大型化した器具本体の余剰スペースに、ドライバなどの工具を収納することができるため、特別な設置スペースを必要とすることなく、工具をとっさに取り出すことができるように常備することができる。また、照明器具の位置は、点灯している場合には特にわかり易いが、何らかの原因で消えてしまった場合にも、比較的わかり易く、目印となるため、誰にでも取り出し易い。
【０００８】
また、本発明は、上記照明器具において、前記工具収容部は、前記光源よりも背面側に設けられたものを含む。
この構成によれば、光源よりも背面側に工具が収納されているため、外側から見えることなく、収納することが可能であり、意匠性に優れたものとなる。
【０００９】
また、本発明は、上記照明器具において、前記器具本体は、内部に前記光源を装着する本体部と、前記本体部の開口部を気密的にシールするカバー部とを具備し、前記工具収容部は前記本体部の底部に配された係止部を具備したものを含む。
この構成によれば、気密的にシールされた状態で工具が取り付けられるため、浴室などにおいても湿度によってさびが生じたりするなど、劣化を招くことなく、工具を保持することが可能である。
【００１０】
また、本発明は、上記照明器具において、前記照明器具は、浴室の壁面に取り付けられるように取り付け具を具備したものを含む。
【００１１】
また、本発明は、上記照明器具において、前記光源は前記本体部に収納された配線板に装着されており、前記配線板の裏面に前記工具収容部が設けられたものを含む。
【発明の効果】
【００１２】
以上説明してきたように、本発明によれば、照明器具内の余剰スペースに、非常用の工具を設置することができるため、特別な設置スペースを必要とすることなく、工具をとっさに取り出すことができるように常備することができる。また、照明器具の位置は、わかり易く、目印となるため、工具はとっさに誰にでも取り出し易い。
【発明を実施するための最良の形態】
【００１３】
次に本発明の実施の形態について、図面を参照しつつ詳細に説明する。
（実施の形態１）
本発明の浴室用の照明器具は、図１乃至図５に示すように、光源としてのスパイラルランプ２が収納された器具本体１内に、工具５としてのドライバーが装着されたことを特徴とする。図１はこの照明器具の斜視図、図２はカバー部材を外した状態を示す斜視図、図３は、同照明器具の断面図、図４はカバーを外した状態を示す正面図、図５は浴室内でのこの照明器具の取り付け状態を示す図である。
この工具収容部を構成する係止部としてのフック６は、工具５をスパイラルランプ２よりも背面側に維持するように設けられている。そして器具本体１は、内部にスパイラルランプ２を装着する本体部と、本体部の開口部を気密的にシールするカバー部４とを具備し、このフック６が本体部の底部に配され、工具収納部を構成している。３はソケットである。
ここでこの照明器具１０は、浴室の壁面Ｗに取り付けられるように取り付け具（図示せず）を具備している。
【００１４】
この構成によれば、光源よりも背面側に工具が収納されているため、外側から見えることなく、収納することが可能であり、外から工具が見えることはなく、意匠性に優れたものとなる。
【００１５】
また、気密的にシールされた状態で工具が取り付けられるため、浴室などにおいても湿度によってさびが生じたりするなど、劣化を招くことなく、工具を保持することが可能である。
【００１６】
なお、前記実施の形態１では、工具としてドライバを用いたが、ドライバに限定されることなく、ペンチなどの他の工具も設置可能であり、複数の工具を設置するようにしてもよい。
また、前記実施の形態１では、浴室のメイン照明である壁掛けの照明器具１０について説明したが図５において、壁面照明器具２０として壁Ｗの下の方に配置され、アロマ照明として使用するような多機能照明器具に収納するようにしてもよい。これにより、非点灯時の暗がりのなかで、工具を探したいとき、香りを目印に工具を探すこともできる。
更にまた、器具本体１への工具５の取り付け方法は適宜選択可能であるが、取り付け面に密着させ、できるだけ光源の背面側に配置されるようにするのが望ましい。
【００１７】
（実施の形態２）
次に本発明の実施の形態２について説明する。
本実施の形態では、図６乃至８に示すように、浴室天井に照明ボックス本体１１を設けた浴室照明装置において、当該照明ボックス本体１１内に設けられた配線板としての回動板１２に照明器具としてのランプ１３および工具１５を装着し、この回動板１２が上記照明ボックス本体１１下部に設けられた開口部を通して浴室内に垂下するように、この開口部の一側縁に回転軸１４を介して回動自在に設けられている。この回動板１２の第２の面すなわち裏面側が工具収容部を構成している。通常は、図８に示すように、このランプ１３および工具１５が上記照明ボックス本体１１内の空間に収納されており、工具の取り出し時あるいはランプの取替え時には、図７に示すように、浴室天井面より下方の浴室空間に垂下しうるように形成されている。
【００１８】
図６に、本発明の浴室照明装置の部分拡大側面図を示す。図６において、照明ボックス本体１１は、浴室壁面Ｗ寄りの浴室天井１６に設けられている。この照明ボックス本体１１内には、第１の面にランプ１３を装着するとともに背面にドライバーなどの工具１５を装着した回動板１２が、上記照明ボックス本体１１の下部に設けられた開口部１７を通して浴室内に垂下しうるように、この開口部の一側縁に、丁番等の回転軸１４を介して、回動自在に取付けられている。このとき、回動板１２は、その上に付着した水滴を流れ落ち易くするため、開口部１７側に下り勾配となるよう照明ボックス本体１内に設置されている。本発明の実施の形態２において、浴室照明装置は、通常、図６に示した状態で使用され、ランプ１３からの光は、照明ボックス本体１１内の湾曲面で反射された後、開口部１７に設けられた半透光性のパネル１９を通って浴室内に投光される。したがって、光の柔らかな間接照明によって、浴室内の雰囲気をリラックスしたものとすることができる。１００は浴槽である。
【００１９】
図７は、ランプ１３を装着した回動板１２が、上記照明ボックス本体１１の下部に設けられた開口部１７を通して浴室内に垂下した状態を示す部分拡大側面図である。図７から明らかなように、このとき、工具１５が浴室壁面Ｗ側、ランプ１３が浴室壁面Ｗと反対側に位置するように回動板１２に装着されている。このようにすれば、工具１５の取り出しにおいても容易に取り出すことができる。またランプの交換等を行う場合にも、浴室の中央部に余裕を持って人が位置できるため、交換作業が容易となる。
【００２０】
この浴室照明装置の開口部１７は開閉自在となっている。ここでは図６に示したように開口部１７を開閉自在とするように、半透光性パネル１８が、回転軸１９を介して、係脱自在に取付けられている。通常、浴室照明装置は、図６に示すように、半透光性パネル１８の自由端と開口部１７の一側縁を係合（係合手段は図示せず）した状態で使用され、ランプ１３からの光は、半透光性パネル１８を通って浴室内に投光される。したがって、光の柔らかな間接照明によって、浴室内の雰囲気をリラックスしたものとすることができる。
【００２１】
そして、災害時などに工具１５を取り出す際には、半透光性パネル１８の自由端と開口部１７の一側縁との係合を外して半透光性パネル１８を垂下させるとともに、ランプ１３および工具１５を第１の面および第２の面に装着した回動板１２を、開口部１７を通して浴室内に垂下した状態を示す部分拡大側面図である。図７から明らかなように、工具１５を取り出す場合にも、ランプの交換等を行う場合にも、浴室の中央部に余裕を持って人が位置することができ、交換作業が容易となる。
【００２２】
この構成により、通常は、ランプ（照明器具）および工具を装着した回動板が上記照明ボックス本体内に位置しているため、光は上記照明ボックス本体下部に設けられた開口部を通して浴室内に柔らかな光を投げかけ、浴室内をリラックスした雰囲気とすることができる。一方、地震などの非常時に工具を必要とする場合、あるいは照明器具の保守点検を行う場合は、開口部の一側縁に回転軸を介して、回動自在に取付けられた上記回動板を浴室内に垂下するよう回動し、浴室天井面より下方の浴室空間に位置させ、照明器具の保守点検、例えば、ランプの交換を容易とする。
【００２３】
また、上記照明ボックス本体を、浴室天井面の浴室壁面寄りに設けた場合には、回動板を浴室空間内に垂下させたとき、ランプが浴室壁面と反対側に位置するよう回動板に装着されている。そのため、ランプの交換等を行う場合、浴室の中央部に余裕を持って人が位置することができるため、交換作業が容易となる。
通常、ランプ１３および工具１５は、照明ボックス本体内の空間に位置しており、上記回動板は、照明ボックス本体下部に設けられた開口部側に下り勾配となるように設置されている。そのため、結露の結果、生じた水滴が回動板の上に滞留することなく流れ落ち、照明器具を常に清潔に保つことができる。
【００２４】
さらに、上記照明ボックス本体下部に設けられた開口部を開閉自在とするように半透光性パネルを取付けているが、なくてもよい。このパネルを着脱自在に取付けることにより、照明器具からの光を柔らかなものとするとともに、気密構造とすることで、水蒸気の照明ボックス本体への進入を防ぐことができる。
【００２５】
図６および図７では、ランプ１３および工具１５を装着した回動板１２を、照明ボックス本体１１の下部に設けた開口部１７の一側縁に、丁番等の回転軸１４を介して、回動自在に取付けた構成について説明したが、上記回転軸１４を成形品ピボット構造とし、即ち、いわゆるプラスチック丁番とし、ランプ１３および工具１５を装着した回動板１２そのものを照明ボックス本体１１に、回動自在に取付ける構造としてもよい。
【００２６】
なお前記実施の形態では、光源として、スパイラルランプを用いたが、これに限定されることなく、ＬＥＤ素子、有機ＥＬ素子など適宜適用可能である。
【００２７】
また、前記実施の形態では浴室用照明器具について説明したが、浴室用照明器具に限定されることなく、トイレ用照明器具、エレベータ用照明器具、非常灯などに適用可能である。
【図面の簡単な説明】
【００２８】
【図１】本発明の実施の形態１の照明器具を示す斜視図
【図２】本発明の実施の形態１の照明器具の内部を示す斜視図
【図３】本発明の実施の形態１の照明器具を示す断面図
【図４】本発明の実施の形態１の照明器具を示す正面図
【図５】本発明の実施の形態１の照明器具を用いた浴室を示す図
【図６】本発明の実施の形態２の照明装置を示す図
【図７】本発明の実施の形態２の照明装置を示す図
【図８】本発明の実施の形態２の照明装置を示す図
【符号の説明】
【００２９】
１  照明器具本体
２  スパイラルランプ
３  ソケット
４  カバー
５  工具
【図１】
2010097838.tif 000003
【図２】
2010097838.tif 000004
【図３】
2010097838.tif 000005
【図４】
2010097838.tif 000006
【図５】
2010097838.tif 000007
【図６】
2010097838.tif 000008
【図７】
2010097838.tif 000009
【図８】
2010097838.tif 000010